(57)【要約】【課題】本発明の目的は、機能性と意匠性とを共に良好にすべく、フレームの形状によらずに曲げ剛性を自由に変更することができる眼鏡フレームを提供すること。【解決手段】金属線材からなる眼鏡フレームＦにおいて曲げ剛性を段階的に変化させた眼鏡フレーム。テンプル１が二種類以上の曲げ剛性の異なる材料で形成されているもの、また、リム３とブリッジ５とが曲げ剛性が異なる材料で形成されているもの等がある。例えば、テンプルの頭部前方側の部分に弾性に優れた材料を用いれば、テンプル１から頭部側面へ大きな力が加わることがなく、適度な締付け力が頭部側面に加わる。特に、テンプルの曲げ剛性を三段階に渡り変化させ、テンプル前部とテンプル後部の曲げ剛性がテンプル中部の曲げ剛性より低くなるようにすると好適である。【選択図】図２
2007101975.tif 000002
【特許請求の範囲】
【請求項１】
金属線材からなる眼鏡フレームにおいて曲げ剛性を段階的に変化させたことを特徴とする眼鏡フレーム。
【請求項２】
テンプルが二種類以上の曲げ剛性の異なる材料で形成されていることを特徴とする請求項１記載の眼鏡フレーム。
【請求項３】
リムとブリッジとが曲げ剛性が異なる材料で形成されていることを請求項１記載の特徴とする眼鏡フレーム。
【請求項４】
テンプルの頭部前方側に位置するテンプル前部の曲げ剛性を低くしたことを特徴とする請求項２記載の眼鏡フレーム。
【請求項５】
テンプルの曲げ剛性を三段階に渡り変化させ、テンプル前部とテンプル後部の曲げ剛性をテンプル中部の曲げ剛性より低くしたことを特徴とする請求項２記載の眼鏡フレーム。    
【請求項６】
曲げ剛性の異なる材料は、相互に嵌合固定されていることを特徴とする請求項１記載の眼鏡フレーム。
【発明の詳細な説明】
【技術分野】
【０００１】
本発明は、意図的に曲げ剛性に変化を与えた眼鏡フレームに関する。
より詳しくは、眼鏡フレームの位置によって曲げ剛性を変化させ眼鏡着用性を向上させた眼鏡フレームに関する。
【背景技術】
【０００２】
金属フレームを有する眼鏡において、眼鏡フレームは一般に一様な剛性を有するので顔に的確に当接するように顔幅に合わせて拡がり具合を調整する必要がある。
その際、眼鏡フレームに曲げ力を加える調整、例えばテンプルの頭部前方側に力を加えたり、ブリッジに捻じりを加えたりする調整が通常、行われる。
特に、着用者の顔幅等は、例えば、左右の目の位置、鼻の形、耳の高さ及び耳の奥行き等は人によって微妙に異なっており、確実に調整作業を行うには、眼鏡販売店の店員等の技能が必要である。
【０００３】
このような調整を経たものであっても、着用者の長時間の使用によって外的な負荷を受けフレームに再度の調整が必要になることが多い。
しかし、このような調整を幾度も行うと、金属フレームが疲労現象を起こして弱体化する。
このようなことから、金属フレーム自体の厚みや幅を変えることで、その曲げ剛性を変えて調整作業をなくす方法がある。
眼鏡フレームの曲げ剛性を部分的に変えて顔に適したフィット力を得るようにするのである。
【０００４】
例えば、線状の眼鏡フレームの厚みや幅を変え軸直交方向の断面積を眼鏡フレームの長手方向に沿って変化させ、眼鏡フレームの曲げ剛性をその長手方向に沿って眼鏡着用者にとって好適になるように変化させる（例えば、特許文献１参照）。
【０００５】
【特許文献１】特開２００４−２４６２９６号公報
【発明の開示】
【発明が解決しようとする課題】
【０００６】
しかしながら、上述したような眼鏡フレームの曲げ剛性をその長手方向に沿って変化させる従来の眼鏡フレームでは、眼鏡フレームの断面形状を機能性に基づいて設計するために、所望の眼鏡フレームの意匠が得られない。
すなわち、機能性を重視すると意匠性が悪くなり、意匠性を重視すると機能性が悪くなるという、相反する問題を抱えるのである。
本発明は、このような技術的背景をもとになされたものである。
すなわち、本発明は、機能性と意匠性とを共に良好にすべく、フレームの形状によらずに曲げ剛性を自由に変更することができる眼鏡フレームを提供することを目的とする。
【課題を解決するための手段】
【０００７】
かくして、本発明者は、このような課題背景に対して鋭意研究を重ねた結果、眼鏡フレームの形状を決定した後、眼鏡フレームの材料として複数種類の曲げ剛性の異なる材料を選択して組み合わせることにより、上記の問題点を解決することができることを見出し、この知見に基づいて本発明を完成させたものである。
【０００８】
すなわち、本発明は、（１）、金属線材からなる眼鏡フレームにおいて曲げ剛性を段階的に変化させた眼鏡フレームに存する。
【０００９】
また、本発明は、（２）、テンプルが二種類以上の曲げ剛性の異なる材料で形成されている上記（１）記載の眼鏡フレームに存する。
【００１０】
また、本発明は、（３）、リムとブリッジとが曲げ剛性が異なる材料で形成されている上記（１）の眼鏡フレームに存する。
【００１１】
また、本発明は、（４）、テンプルの頭部前方側に位置するテンプル前部の曲げ剛性を低くした上記（２）記載の眼鏡フレームに存する。
【００１２】
また、本発明は、（５）、テンプルの曲げ剛性を三段階に渡り変化させ、テンプル前部とテンプル後部の曲げ剛性をテンプル中部の曲げ剛性より低くした上記（２）記載の眼鏡フレームに存する。
【００１３】
また、本発明は、（６）、曲げ剛性の異なる材料は、相互に嵌合固定されている上記（１）記載の眼鏡フレームに存する。
【００１４】
なお、本発明の目的に添ったものであれば、上記発明を適宜組み合わせた構成も採用可能である。
【発明の効果】
【００１５】
本発明の眼鏡フレームの設計方法によれば、眼鏡フレームの形状を決定した後、眼鏡着用性に優れた曲げ剛性が得られるように眼鏡フレームの材料として複数種類の材料を選択して組み合わせ、眼鏡フレームの形状にかかわらず眼鏡フレームの方向に沿って好適な曲げ剛性分布を得ることができる。
【００１６】
本発明の眼鏡フレームによれば、眼鏡着用性等の機能性と意匠性とを共に兼ね備えることができる。
テンプルを二種以上の材料から形成し、曲げ剛性を段階的に変化させたので、例えば、テンプルの頭部前方側の部分に弾性に優れた材料を用いれば、テンプルから頭部側面へ大きな力が加わることがなく、適度な締付け力が頭部側面に加わる。
特に、テンプルの曲げ剛性を三段階に渡り変化させ、テンプル前部とテンプル後部の曲げ剛性がテンプル中部の曲げ剛性より低くなるようにすると好適である。
【００１７】
また、リムとブリッジとの材料を違えて、ブリッジに弾性に優れた材料を用いると、テンプルが回動し拘束された後もテンプルを多少開くことができ、眼鏡のフィット性が向上し、着用性に優れた眼鏡となる。
また眼鏡フレームは、曲げ剛性の異なる材料が圧入等による係合で連結されているために、連結方法としてろう付け部分等がなく熱が加わらない。
そのため、金属フレームに焼き鈍し等が原因である高熱による悪影響が全くない。
【発明を実施するための最良の形態】
【００１８】
まず、本発明の金属フレームの設計方法について述べる。
図１は、本発明の眼鏡フレームの設計方法に係るフローチャートを示している。
この眼鏡フレームの設計方法は、眼鏡フレームの形状を決定した後、眼鏡着用性に優れた曲げ剛性が得られるように、金属線材よりなる眼鏡フレームの材料として複数種類の材料を選択して組み合わせる。
眼鏡着用性に優れた曲げ剛性とは、眼鏡を掛けた場合に眼鏡の位置が安定しており、且つ頭部に対する締付け力が適度な大きさとなる場合をいう。
【００１９】
そして、先ず、ステップＳ１において、眼鏡フレームの形状のデザインを行う。
眼鏡フレームの形状や色彩等のデザインは、例えば、モチーフを決め、そのモチーフに基づいて創作される。
そのため、例えば、三次元的に意匠性のあるフレームの形状が決定される。
【００２０】
次いで、ステップＳ２において、ステップＳ１で決定した眼鏡フレームの形状のデザインに基づいて眼鏡フレームの曲げ剛性分布の好適化設計を行う。
具体的には、眼鏡フレームにおける各部位に必要な曲げ剛性を計算する。
なお、曲げ剛性は次式で表される。
ＥＩ（曲げ剛性）＝Ｍ・ρ
Ｅ：縦弾性係数
Ｉ：断面二次モーメント
ρ：線材の湾曲の大きさを表す曲率、の逆数
Ｍ：曲げモーメント
【００２１】
次いで、ステップＳ３において、ステップＳ２で求めた曲げ剛性分布に基づいて、その曲げ剛性を満たすような材料を選択する。
すなわち、大きな曲げ剛性が必要な部分には縦弾性係数の大きな材料を用い、弾性が求められる部分には縦弾性係数の小さな材料を用いる。
例えばテンプルは、頭部前方側に弾性が必要であるため、二種以上の材料から形成し、テンプルの曲げ剛性を段階的に部分変化させると良い。
頭部前方側の曲げ剛性を低くし弾性を持たせると、テンプルから頭部側面へ大きな力が加わることがなく、適度な締付け力が頭部側面に加わる。
【００２２】
また、リムはレンズを保持するために比較的大きな剛性が必要であるが、ブリッジには、テンプルが回動し拘束された後もテンプルを多少開くことができるように、弾性に優れた材料を適用するのが好ましい。
すなわち、リム及びブリッジの材料を相互に違え、材料の違いにより曲げ剛性に変化を与えるようにすると良い。
【００２３】
このような構成にすることにより、適度な締付け力で頭部側面を締め付けることになり、眼鏡のフィット性が向上するからである。
以上のような眼鏡フレームの設計方法を用いれば、眼鏡フレームの形状にかかわらず眼鏡フレームのフレーム方向に沿って好適な曲げ剛性分布を得ることができ、すなわち機能性と意匠性とが共に優れた眼鏡フレームを得ることができる。
【００２４】
図２（ａ）は、本発明の眼鏡フレームであるテンプルの一例を示している。
図に示すように、モダン２が被せられた線状のテンプル１は、テンプル前部にある長片状の前部片１１と、テンプル後部にあるより長片状の後部片１２とを有している。
【００２５】
この前部片１１の先端には、テンプル１をヨロイに対して回動自在に取り付けるために、ヒンジ部１１ａが形成されている。
前部片１１の後端には、肉厚部１１ｂが形成されており、後部片１２の先端には、前部片１１の肉厚部１１ｂと接する肉厚部１２ａが形成されている。
肉厚部１１ｂと肉厚部１２ａとを圧入等により相互に係合させることで前部片１１と後部片１２とは連結される。
なお溶接やロウ付けではないので加熱による悪影響は全く生じない。
【００２６】
図３（ａ）は前部片１１と後部片１２とを係合させる前の状態、図３（ｂ）は前部片１１と後部片１２とを係合させた後の状態を部分的に示している。
図に示すように、前部片１１の肉厚部１１ｂに形成された突起１１ｂ１を後部片１２の肉厚部１２ａに形成された嵌合穴１２ａ１に圧入することによって前部片１１と後部片１２とを相互に係合することができる。
【００２７】
このような係合部の形態としては種々のものがあり、これらを拡大して図４に示す。
図４（ａ）は、図３に示す円柱状の突起１１ｂ１が円柱状の嵌合穴１２ａ１に嵌合する例を示す。
前部片１１と後部片１２との係合方法は、図４（ａ）に示すものに限られず、図４（ｂ）〜図４（ｆ）に示すような構造であっても良い。
【００２８】
図４（ｂ）は、ローレット加工が施された円柱状の突起１１ｂ１を円柱状の嵌合穴１２ａ１に圧入するものを示しており、圧入力に加えローレットの目による摩擦抵抗が働くため、前部片１１と後部片１２との確実な係合が行われる。
【００２９】
図４（ｃ）は、複数条の溝が形成された円柱状の突起１１ｂ１が円柱状の嵌合穴１２ａ１に嵌合されるものを示している。
このように溝が形成されていると、突起１１ｂ１の嵌合穴１２ａ１への挿入時に適度な圧入力を発生させ、また挿抜の際の摩擦抵抗も適度な大きさに調整し易い。
【００３０】
図４（ｄ）は、前部片１１に矢印状の突起１１ｂ１が形成されたものを示しており、この矢印状の突起１１ｂ１は後部片１２の嵌合穴１２ａ１に係合される。
厚みを有する矢印の側部が抜け止め防止の役割を果たす。
【００３１】
図４（ｅ）は、前部片１１に三角柱状の突起１１ｂ１が形成されたものであり、後部片１２に形成された三角柱状の嵌合穴１２ａ１に係合される。
突起１１ｂ１が三角柱状をしているので、回り止めの役割を果たす。
【００３２】
図４（ｆ）は、角柱状の嵌合穴１２ａ１に角柱状の突起１１ｂ１を嵌合させるものを示している。
突起１１ｂ１が角柱状をしているため、回り止めの役割を果たす。
【００３３】
さて、図２における前部片１１は、眼鏡の着用性を向上させるために、後部片１２に比べて曲げ剛性が低くされている。
ここで曲げ剛性を低くするには、用いる材料の縦弾性係数を小さくすれば良い。
前部片１１及び後部片１２について選択の対象になる材料として、例えば、Ｔｉ系合金、Ｎｉ−Ｔｉ系合金、アルミニウム系合金、ステンレス系合金、Ｎｉ−Ｃｒ系合金、銅系合金、Ｍｇ系合金、金無垢及び洋白等の金属が挙げられる。
そして、上述したような眼鏡を着用すると、図２（ｂ）に示すように、前部片１１が大きく変形する。
【００３４】
図５は、本発明の眼鏡フレームであるテンプルの一例を示している。
図に示すように、テンプル１の曲げ剛性は三段階に渡り変化しており、前部片１１と後部片１２の曲げ剛性がテンプル１中部にある中部片１３の曲げ剛性より低くされている。
より具体的には、前部片１１と後部片１２とが比較的大きな弾性を有する材料とされている。
【００３５】
このような構成にするための材料選択の具体例としては、例えば、前部片１１と後部片１２とに超弾性効果に優れるＴｉ−Ｎｉ系合金を用い、中部片１３にステンレス系合金を用いる組み合わせが挙げられる。
このような構成の眼鏡を掛けると、例えば、図５（ｂ）に示すような変形をする。
すなわち、超弾性材料からなる前部片１１と後部片１２とが中部片１３に比べて大きく反り返ることが分かる。
このような構成にすると、前部片１１のみ弾性の大きな材料とする場合に比べて、頭部側面に加わる締付け力がより緩和され、着用性が更に良くなる。
【００３６】
図６は、本発明の眼鏡フレームであるリム及びブラケット等を示している。
図６（ａ）はその斜視図、及び図６（ｂ）はその平面図である。
リム３はレンズ４の上端面に沿って配置され、二本のリム３はブリッジ５によって相互に連結されている。
リム３はレンズ４の顔中央側に螺子６を用いて連結されている。
【００３７】
リム３とブリッジ５とは異なる材料によって形成される。
ブリッジ５には、例えば、超弾性効果に優れるＴｉ−Ｎｉ系合金を用いることができる。
このような構成にすると、テンプルが回動し拘束された後もテンプルを多少開くことができ（オーバー回動）、眼鏡のフィット性が向上する。
【００３８】
図７は、本発明の眼鏡フレームであるテンプル、リム、ブリッジが一本化された例を示す説明図である。
この眼鏡フレームＦは、テンプル、リム、ブリッジが、それぞれ異なる曲げ剛性の材料によって一本化されてそれぞれ連結されている。
すなわちテンプルの頭部前方側以外領域の材料となる比較的剛性の高い第一部材Ｌ１と、テンプルの頭部前方側からリム付近までの領域の材料となる比較的弾性を有する第二部材Ｌ２とを有している。
また、リム領域の材料となる比較的剛性の高い第三部材Ｌ３と、ブリッジ領域の材料となる比較的弾性を有する第四部材Ｌ４とを有している。
【００３９】
そして、例えば、第一部材Ｌ１にステンレス系合金を、第二部材Ｌ２にＴｉ−Ｎｉ系合金を、第三部材Ｌ３に銅系合金を、第四部材Ｌ４に第二部材Ｌ２と同様に弾性を有するが合金成分の異なるようなＴｉ−Ｎｉ系合金を適用することができる。
もっとも、第一部材Ｌ１と第三部材Ｌ３とを同じ曲げ剛性の材料にし、第二部材Ｌ２と第四部材Ｌ４とを同じ弾性の材料にしても良い。
【００４０】
以上述べた本発明の眼鏡フレームＦによれば、曲げ剛性の異なる複数種類の材料を選択して組み合わせているために、眼鏡着用性（機能性）と意匠性とを共に兼ね備えることができる。
また眼鏡フレームＦは、曲げ剛性の異なる材料が圧入等による係合で連結されているために、連結方法としてろう付け部分等がなく加工の際、熱が加わらない。
従って、金属フレームに焼き鈍し等の加熱による悪影響を受けることがない。
【００４１】
以上、本発明を説明してきたが、本発明は上述した実施形態にのみ限定されるものではなく、その本質を逸脱しない範囲で、種々の変形が可能であることはいうまでもない。
例えば、眼鏡フレームを構成するテンプル、ブリッジ、リム等の単位で異なる曲げ剛性の材料を使う場合だけでなく、それらテンプル、ブリッジ、リム等を更に分割して、その分割単位で異なる曲げ剛性の材料を使う場合も当然あり得る。
【図面の簡単な説明】
【００４２】
【図１】図１は、本発明の眼鏡フレームの設計方法に係るフローチャートを示す説明図である。
【図２】本発明の眼鏡フレームであるテンプルの一例を示し、（ａ）は通常の状態、及び（ｂ）は変形させた状態を示している。
【図３】図３は、前部片と後部片との係合部を示す説明図であり、（ａ）は前部片と後部片とを係合させる前の状態、（ｂ）は前部片と後部片とを係合させた後の状態を示している。
【図４】図４は、前部片と後部片との係合部を拡大して示す説明図であり、（ａ）は円柱状の突起を円柱状の嵌合穴に嵌合させるもの、（ｂ）はローレット加工が施された円柱状の突起を円柱状の嵌合穴に圧入させるもの、（ｃ）は複数条の溝が形成された円柱状の突起を円柱状の嵌合穴に嵌合させるもの、（ｄ）は前部片に形成された矢印状の突起を後部片の嵌合穴に係合させるもの、（ｅ）は前部片に形成された三角柱状の突起を後部片に形成された嵌合穴に係合させるもの、（ｆ）は角柱状の嵌合穴に角柱状の突起を嵌合させるもの、である。
【図５】図５は、本発明の眼鏡フレームであるテンプルの一例を示す説明図であり、（ａ）は通常の状態、及び（ｂ）は変形させた状態を示している。
【図６】図６は、本発明の眼鏡フレームであるリム及びブラケット等を示す説明図であり、（ａ）は斜視図、及び（ｂ）は平面図である。
【図７】図７は、本発明の眼鏡フレームであるテンプル、リム、ブリッジが一本化された例を示す説明図である。
【符号の説明】
【００４３】
１  テンプル
１１  前部片
１１ａ  ヒンジ部
１１ｂ  肉厚部
１１ｂ１  突起
１２  後部片
１２ａ  肉厚部
１２ａ１  嵌合穴
１３  中部片
２  モダン
３  リム
４  レンズ
５  ブリッジ
６  螺子
Ｆ  眼鏡フレーム
Ｌ１  第一部材
Ｌ２  第二部材
Ｌ３  第三部材
Ｌ４  第四部材
【図１】
2007101975.tif 000003
【図２】
2007101975.tif 000004
【図３】
2007101975.tif 000005
【図４】
2007101975.tif 000006
【図５】
2007101975.tif 000007
【図６】
2007101975.tif 000008
【図７】
2007101975.tif 000009